(57)【要約】【課題】迷光により生じる画質劣化を低減すること。【解決手段】第１の高さを有する第１マイクロレンズ（３０２）を備えた第１画素（３０１）と、前記第１の高さよりも高い第２の高さを有する第２マイクロレンズ（４０２）を備えた第２画素（４０１）と、がそれぞれ配置された撮像素子（１０２）と、前記撮像素子の面上で所定の輝度値よりも高い高輝度領域を検出する検出手段（１０６）と、前記高輝度領域の位置と前記第２画素の位置に応じて、前記第１画素から出力される画像信号を補正する補正手段（１０６）と、を有する。【選択図】  図１
2014165787.tif 000002
【特許請求の範囲】
【請求項１】
第１の高さを有する第１マイクロレンズを備えた第１画素と、
前記第１の高さよりも高い第２の高さを有する第２マイクロレンズを備えた第２画素と、
がそれぞれ配置された撮像素子と、
前記撮像素子の面上で所定の輝度値よりも高い高輝度領域を検出する検出手段と、
前記高輝度領域の位置と前記第２画素の位置に応じて、前記第１画素から出力される画像信号を補正する補正手段と、
を有することを特徴とする撮像装置。
【請求項２】
前記補正手段は、
前記第２画素に隣接している前記第１画素のうち、
前記第２画素の位置に対して、
前記高輝度領域と反対側にある前記第１画素の画像信号を補正する、
ことを特徴とする請求項１に記載の撮像装置。
【請求項３】
前記補正手段は、
前記撮像素子の短手方向を第１の方向、前記撮像素子の長手方向を第２の方向としたとき、前記高輝度領域から第１の方向および第２の方向に延びる領域を、前記第１画素の画像信号を補正する領域とする、
ことを特徴とする請求項１または２に記載の撮像装置。
【請求項４】
前記補正手段は、
前記高輝度領域の輝度値が大きいほど、前記第１画素の画像信号を補正する領域を広げる、
ことを特徴とする請求項１〜３のいずれか１項に記載の撮像装置。
【請求項５】
前記補正手段は、
前記第１画素の周辺にある同色画素の画像信号から補間処理を行うことによって、前記第１画素の画像信号を補正する、
ことを特徴とする請求項１〜４のいずれか１項に記載の撮像装置。
【請求項６】
前記検出手段は、
前記撮像素子の画像信号から、出力が所定の輝度値よりも高い領域を前記高輝度領域として検出する、
ことを特徴とする請求項１〜５のいずれか１項に記載の撮像装置。
【請求項７】
前記第１画素は、撮像用画素であり、前記第２画素は、焦点検出用画素である、
ことを特徴とする請求項１〜６のいずれか１項に記載の撮像装置。
【請求項８】
第１の高さを有する第１マイクロレンズを備えた第１画素と、前記第１の高さよりも高い第２の高さを有する第２マイクロレンズを備えた第２画素と、がそれぞれ配置された撮像素子を有する撮像装置の制御方法であって、
前記撮像素子の面上で所定の輝度値よりも高い高輝度領域を検出するステップと、
前記高輝度領域の位置と前記第２画素の位置に応じて、前記第１画素から出力される画像信号を補正するステップと、
を有することを特徴とする撮像装置の制御方法。
【請求項９】
請求項８に記載の撮像装置の制御方法の手順が記述された、コンピュータで実行可能なプログラム。
【請求項１０】
コンピュータに、請求項８に記載の撮像装置の制御方法のステップを実行させるためのプログラムが記憶されたコンピュータが読み取り可能な記憶媒体。
【発明の詳細な説明】
【技術分野】
【０００１】
本発明は、撮像装置に関する。
【背景技術】
【０００２】
従来、撮像素子を構成する少なくとも一部の画素において、撮像用画素と、瞳分割型位相差検出方式の焦点検出用画素とを配列することによって、撮像機能と焦点検出機能を兼ね備えた撮像素子が知られている。
【０００３】
特許文献１では、撮像用画素と焦点検出用画素が配列された撮像素子において、撮像用画素に発生するクロストークを、近傍の焦点検出用画素の出力信号に基づいて補正し、画質劣化を低減させる技術が開示されている。
【先行技術文献】
【特許文献】
【０００４】
【特許文献１】特開２００９−１２４５７３号公報
【発明の概要】
【発明が解決しようとする課題】
【０００５】
焦点検出用画素では、焦点検出精度を向上させるために、焦点検出用画素に特化した光学特性のマイクロレンズを形成することができる。例えば、特許文献１にあるように、撮像用画素にとって最適なマイクロレンズの高さに対して、焦点検出用画素のマイクロレンズの方が高く形成されることが考えられる。
【０００６】
しかしながら、撮像用画素に対してマイクロレンズが高い焦点検出用画素に、撮像素子やカバーガラスからの反射による迷光が入射した時などに発生するクロストーク成分がある、ということが、発明者らの検討により判明した。このような迷光は、特に高輝度な光源からの光が撮像素子面上に入射している時に発生し易い。
【０００７】
近傍の焦点検出用画素の出力信号のみに基づき補正する特許文献１の従来技術では、撮像素子面上で離れた画素で発生した迷光によるクロストークは、適切に補正することができなかった。
【０００８】
そこで、本発明は、迷光により生じる画質劣化を低減することが可能な撮像装置を提供することを例示的目的とする。
【課題を解決するための手段】
【０００９】
本発明の一側面としての撮像装置は、第１の高さを有する第１マイクロレンズを備えた第１画素と、前記第１の高さよりも高い第２の高さを有する第２マイクロレンズを備えた第２画素と、がそれぞれ配置された撮像素子と、前記撮像素子の面上で所定の輝度値よりも高い高輝度領域を検出する検出手段と、前記高輝度領域の位置と前記第２画素の位置に応じて、前記第１画素から出力される画像信号を補正する補正手段と、を有することを特徴とする。
【００１０】
本発明の他の目的及び特徴は、以下の実施例において説明される。
【発明の効果】
【００１１】
本発明によれば、迷光により生じる画質劣化を低減することができる。
【図面の簡単な説明】
【００１２】
【図１】本発明の実施形態に係る撮像装置のシステムブロック図である。
【図２】本発明の実施形態に係る撮像素子の構成を模式的に示す図である。
【図３】本発明の実施形態に係る撮像用画素の構成を模式的に示す図である。
【図４】本発明の実施形態に係る焦点検出用画素の構造を模式的に示す図である。
【図５】本発明の実施形態に係る撮像用画素の断面構造を模式的に示す図である。
【図６】本発明の実施形態に係る焦点検出用画素の断面構造を模式的に示す図である。
【図７】本発明の実施形態に係る迷光が発生する様子を示す図である。
【図８】本発明の実施形態に係る撮影処理の流れを示すフローチャートである。
【図９】本発明の実施形態に係る高輝度光源検出処理の流れを示すフローチャートである。
【図１０】本発明の実施形態に係る補正処理の対象領域を示す図である。
【発明を実施するための形態】
【００１３】
以下に、本発明の好ましい実施形態を、添付の図面に基づいて詳細に説明する。
【００１４】
まず、本発明に係る撮像装置１００の構成について、図１〜７を用いて説明する。なお、本実施例では、レンズ一体型の撮像装置について説明するが、本発明は、レンズ交換型の撮像装置（カメラシステム）にも適用することが可能である。
【００１５】
図１は、本発明に係る撮像装置１００の概略構成を示すブロック図である。図１において、１０１はフォーカスレンズを含み、更にはズームレンズ、絞りなどで構成される光学系である。１０２は撮像素子であり、光学系１０１で各レンズを通ってきた被写体像（光学像）を光電変換して電気信号（画像信号）に変換する。撮像素子１０２は、撮像用の画素と、後述する焦点検出用画素を含み、該焦点検出用画素は瞳分割された画像信号を出力可能な構成となっている。１０３は、後述するカメラ制御部１１０から出力される光学系駆動情報に応じて、光学系１０１を制御信号により制御する光学系駆動部である。
【００１６】
１０４はアナログフロントエンド（以下ＡＦＥとも記す）であり、基準レベルの調整（クランプ処理）およびアナログデジタル変換処理を行う。１０５はデジタルフロントエンド（以下ＤＦＥとも記す）であり、各画素のデジタル出力を受けて画像信号の補正や画素の並び替え等をデジタル処理している。１０６はデジタル信号処理部であり、ＤＦＥ１０５から得られた画像信号に対して、色変換、ホワイトバランス補正、ガンマ補正等の画像処理、解像度変換処理、画像圧縮処理等を行い、不図示の記録装置や表示装置などに処理後の画像信号を出力する。本実施例のデジタル信号処理部１０６は、後述する高輝度領域の位置を検出する検出手段や、撮像素子の特定の画素からの画像信号を補正する補正手段としても機能する。１０７は記憶部であり、デジタル信号処理部１０６の作業用メモリとして、あるいは連続撮影等のバッファーメモリとしても使用される。また本発明では、記憶部１０７に、焦点検出用画素のアドレスと、高輝度領域のアドレスが保存される。
【００１７】
１０８は位相差算出部で、撮像素子１０２から出力される瞳分割された画像信号から位相差方式の焦点調節を行うための位相差評価値を算出する。１０９はＡＦ制御部で、位相差算出部１０８で算出された位相差評価値を基に、光学系１０１のフォーカスレンズ位置を制御するための光学系駆動情報を算出する。すなわち、位相差算出部１０８及びＡＦ制御部１０９により、公知の位相差方式の焦点調節制御が行われる。１１０はカメラ制御部であり、撮像装置１００全体の動作を統括制御する制御手段として機能し、不図示の操作部からの入力に基づき所定の制御プログラムに従って各部を制御する。また、カメラ制御部１１０は、光学系駆動部１０３を制御することにより、ズームレンズの位置や絞りの開口などの制御を行う。また、本実施例のカメラ制御部１１０は、ＡＦ制御部１０９を含んでいる。
【００１８】
図２は、撮像装置１００における撮像素子１０２の構成を模式的に示す図である。
【００１９】
図２に示すように、撮像素子１０２は、画素部２０１、垂直走査手段２０２、読み出し部２０３、水平走査手段２０４を含む構成である。画素部２０１は、複数の撮像用画素と複数の焦点検出用画素が行列状に配置されており、光学系１０１により結像された光学像を受光する。垂直走査手段２０２は、画素部２０１の複数の行を順に選択し、水平走査手段２０４は、画素部２０１の複数の列を順に選択することによって、画素部２０１の複数の画素が順に選択される。読み出し部２０３は、垂直走査手段２０２および水平走査手段２０４によって選択される画素の信号を読み出し、読み出した信号をＡＦＥ１０４、または位相差算出部１０８へ出力する。
【００２０】
図３は、撮像素子１０２における画素部２０１の撮像用画素３０１の構成を模式的に示す図である。
【００２１】
説明のため、３×２画素配列のみを示したが、実際には、このような画素配列がさらに複数配置されて画素部２０１を構成する。
【００２２】
図３に示すように、画素部２０１における撮像用画素３０１は、マイクロレンズ３０２、フォトダイオード（以下ＰＤとも記す）３０３、を含む構成である。ＰＤ３０３は、撮像用画素３０１に入射した光を受光し、その受光量に応じた信号電荷を生成して蓄積する光電変換部として機能する。
【００２３】
また他に、画素３０１は、不図示の、転送スイッチ、フローティングディフュージョン、出力部、選択スイッチ、リセットスイッチを含んで構成される。しかし、これら各構成要素のレイアウトについては、その機能を発揮する範囲で適切な位置に配置して良い。
【００２４】
図４は、画素部２０１に配列された、撮像用画素３０１と、焦点検出用画素４０１の構成を模式的に示している。
【００２５】
説明のため、３×２画素配列のみを示したが、実際には、複数の焦点検出用画素４０１が画素部２０１に配列されている。
【００２６】
焦点検出用画素４０１は、マイクロレンズ４０２と、ＰＤ４０３とＰＤ４０４を含む構成である。焦点検出用画素（第２画素）４０１のマイクロレンズ（第２マイクロレンズ）４０２は、撮像用画素（第１画素）３０１のマイクロレンズ（第１マイクロレンズ）３０２より高く構成されている。換言すれば、撮像用画素３０１は、第１の高さを有するマイクロレンズ３０２を備えており、焦点検出用画素４０１は、該第１の高さよりも高い第２の高さを有するマイクロレンズ４０２を備えている。
【００２７】
ＰＤ４０３と、ＰＤ４０４は、光学系１０１の異なる射出瞳領域を通過した光束を受光し、その受光量に応じた信号電荷を発生させて、蓄積する機能を備えている。各ＰＤ４０３とＰＤ４０４の領域（受光面積）は、各ＰＤ３０３の領域（受光面積）よりも小さい。撮像素子１０２は複数の焦点検出用画素４０１の信号を、位相差算出部１０８へ出力する。
【００２８】
焦点検出用画素４０１は、２つのＰＤ４０３とＰＤ４０４を有するが、本発明において、ＰＤはいくつでもよく、例えば、４つのＰＤ、９つのＰＤなどでもよい。また、ＰＤは左右方向に２つ並べて配置されているが、並べる方法はこれに限らず、例えば、上下方向に並べて配置してもよい。また、画素部２０１において、ＰＤが異なる方法で並ぶ画素が混在していてもよく、例えば、上下方向に並ぶ画素と左右方向に並ぶ画素が、混在していてもよい。また、焦点検出用画素４０１は、その機能を発揮する範囲で、画素部２０１の中に自由に配置してよい。
【００２９】
図５は、図３の破線Ａ−Ｂ間における断面構造を模式的に示している。本実施例の撮像用画素３０１のマイクロレンズ３０２はいずれも同じ高さを有しているが、例えば色ごとに異なる高さを有するようにしてもよい。
【００３０】
５０１、５０２はカラーフィルターである。５０３、５１０は画素内のスイッチを駆動する配線や電源などの配線である。半導体基板５０４上にｐ型領域５０５が形成され、その中にｎ型領域を形成する。この領域がＰＤ３０３を形成する。５０６、５０７、５０８、５０９は、それぞれ撮像用画素３０１に入射する光束を示している。５０７、５０９は、特に高輝度光源に伴って発生する迷光の光束を示している。
【００３１】
図５に示すように、撮像用画素３０１のみが配列された領域では、光束５０６・５０８はＰＤ３０３へ入射する。光束５０７・５０９は、それぞれ画素間の配線５０３・５１０に入射しており（つまり、配線５０３・５１０で遮られており）、どの画素のＰＤ３０３にも到達しない。
【００３２】
次に、焦点検出用画素４０１に隣接する撮像用画素３０１で、クロストークによる画質劣化が起こる問題について、図６〜７を用いて説明する。
【００３３】
図６は、図４の破線Ｃ−Ｄ間における断面構造を模式的に示している。
【００３４】
図５と同じ機能を示す箇所には同じ番号を付し、詳細な説明は省略する。
【００３５】
６０１は焦点検出用画素４０１のカラーフィルターである。カラーフィルター６０１は、焦点検出用画素４０１の感度を向上させるために、無色のフィルターが配置されている。但し本発明において、焦点検出用画素４０１のカラーフィルターは、無色に限らず、撮像用画素と同色（例えば、赤色、緑色、青色）や白色のフィルターを用いてもよい。
【００３６】
６０２、６０３は焦点検出用画素４０１のマイクロレンズ４０２に入射する光束を示している。
【００３７】
図６に示すように、焦点検出用画素４０１に入射した光束６０２は、焦点検出用画素４０１のＰＤ４０４へ入射している。しかし、光束６０３は、隣接する画素のＰＤ３０３に入射している。この光束６０３は、特に高輝度光源に伴って発生する迷光の光束を示している。この時、光束６０３が入射した撮像用画素３０１では、信号電荷が増加して、画質劣化が起きることになる。
【００３８】
すなわち、マイクロレンズ高さの高い焦点検出用画素４０１に、水平に近い角度で迷光が入射すると、隣接する撮像用画素３０１にクロストークを発生させ、画質劣化が起きる。そして、迷光を発生させる被写体からの光が高輝度な程、画質劣化（クロストーク）は大きくなる。また、焦点検出用画素４０１のマイクロレンズ高さが高くなるほど、画質劣化（クロストーク）は大きくなる。
【００３９】
なお、ここで、焦点検出用画素４０１に対して斜めに隣接する撮像用画素３０１への迷光は、これらの画素間にある配線５０３・５１０により遮られるため、該迷光は該斜めに隣接する撮像用画素３０１のＰＤ３０３には到達しない。これは、焦点検出用画素４０１（のＰＤ４０３及び４０４）と、該斜めに隣接する撮像用画素３０１（のＰＤ３０３）との間の距離が、該焦点検出用画素４０１と、上下左右方向に隣接する撮像用画素との間の距離に比べて長いためである。焦点検出用画素４０１と該斜めに隣接する撮像用画素３０１との間の距離が長くなることにより、迷光はそれらの画素間にある配線５０３・５１０により遮られやすくなる。また、配線５０３・５１０も、焦点検出用画素４０１の上下左右方向に設けられる配線５０３・５１０の幅よりも、焦点検出用画素４０１に対し斜め方向に設けられる配線５０３・５１０の幅の方が長い。そのため、該斜めに隣接する撮像用画素３０１へ入射しようとする迷光は、該配線５０３・５１０により遮られやすくなっている。
【００４０】
図７は、焦点検出用画素４０１に、クロストークを発生させる迷光が入射する様子を模式的に示している。
【００４１】
７０１は撮像素子１０２のパッケージのカバーガラスである。７０２は、光学系１０１を通過して、さらにカバーガラス７０１を通過して、撮像素子１０２の表面に入射する光束を示している。撮像素子１０２の表面に入射した光束７０２の大部分の光は、そのままマイクロレンズによって集光されてＰＤに入射するが、一部の光は撮像素子の表面（マイクロレンズやＰＤ）で反射して拡散する。
【００４２】
撮像素子１０２の表面で反射した光束６０３は、さらにカバーガラス７０１で反射して、迷光として焦点検出用画素に入射する。
【００４３】
光束６０３の迷光の強度は、光束７０２の強度に対して小さい。しかしながら、撮像素子１０２に非常に高輝度の光源からの光が入射した時などには、クロストークによる画質劣化が大きくなる。
【００４４】
次に、上記の撮像装置１００に適用される本発明の、クロストーク補正処理について、図８〜１０を用いて説明する。
【００４５】
図８は、本発明の撮像装置１００を用いた焦点検出と、撮影画像取得の処理の流れを示すフローチャートである。
【００４６】
Ｓ８００では、不図示のレリーズボタン等の操作によりユーザーが撮影開始の操作を行う。
【００４７】
Ｓ８０１では、光学系１０１の絞りや、撮像素子１０２の蓄積時間、ＩＳＯ感度などの撮影条件が設定される。撮影条件は、ユーザーが操作して予め設定することができ、また不図示の測光センサーによって、撮像装置が自動的に設定してもよい。
【００４８】
Ｓ８０２で、ＡＦ制御部１０９は、フォーカスレンズを駆動して被写体に焦点を合わせる。但し、撮影開始直後、最初のＳ８０２では、焦点検出がまだ行われておらず、フォーカスレンズの駆動量を取得できないため、フォーカスレンズは駆動させなくてもよい。あるいは、不図示の別の焦点検出部から取得した信号によってフォーカスレンズを駆動させてもよい。
【００４９】
Ｓ８０３では、撮影画像に画質劣化を起こし得る高輝度光源が入射する領域（高輝度領域）の位置の検出を行う。検出された撮像素子面内の高輝度領域のアドレスは、記憶部１０７に保存される。高輝度領域検出Ｓ８０３の詳細については後述する。
【００５０】
Ｓ８０４及びＳ８０５では、撮像素子１０２を駆動し、信号電荷の蓄積及び読み出しを行う。より詳しくは、Ｓ８０４では、撮像素子１０２が光学系１０１によって結像された光を受光し、各撮像用画素３０１のＰＤ３０３、及び各焦点検出用画素４０１のＰＤ４０３・４０４では、入射した光量に応じた電荷が蓄積される。Ｓ８０５では、各画素のＰＤに蓄積された電荷をそれぞれ読み出す。
【００５１】
次に、Ｓ８０６において、位相差算出部１０８は、各焦点検出用画素４０１のＰＤ４０３から出力された信号と、ＰＤ４０４から出力された信号とを用いて、公知の位相差検出方式による焦点検出処理を行う。Ｓ８０２では、検出された位相差に従って、ＡＦ制御部１０９が次のフレームを撮影するためにフォーカスレンズを駆動させる。
【００５２】
一方、Ｓ８０７で、デジタル信号処理部１０６は、記憶部１０７に保存された高輝度領域のアドレスに基づき、各撮像用画素３０１のＰＤ３０３から読み出された画像信号のうち、焦点検出用画素４０１の隣接画素の画像信号を補正する。また、焦点検出用画素そのものの画像信号は、その近傍の画素から補間処理によって生成する。画像信号補正Ｓ８０７について、詳細は後述する。
【００５３】
そして、Ｓ８０８では、取得された画像信号を撮像装置１００の表示部に表示、及び記録媒体への記録処理を行い、処理を終了する。
【００５４】
次に、高輝度領域検出処理について、図９を用いて説明する。
【００５５】
図９は、高輝度領域検出Ｓ８０３の処理の流れを示すフローチャートである。
【００５６】
高輝度領域検出Ｓ８０３では、撮影画像に画質劣化を起こし得る高輝度光源が入射する高輝度領域の位置の検出を行う。但し、ここで検出するべき領域は、撮影条件設定Ｓ８０１で設定された撮影条件では、出力が飽和する程の高輝度な領域である。従って、動画撮影やライブビュー表示などの連続して画像信号を取得する動作モードなどで、過去のフレームを参照して、出力が飽和した画素がない時、高輝度領域検出Ｓ８０３をスキップしてもよい。
【００５７】
Ｓ９０１では、高輝度領域検出のための、撮像素子１０２の駆動条件を設定する。この駆動条件は、撮影条件設定Ｓ８０１で設定された撮影条件に対して十分に露出アンダーとなる条件が設定される。
【００５８】
Ｓ９０２及びＳ９０３では、撮像素子１０２を駆動し、信号電荷の蓄積及び読み出しを行う。
【００５９】
Ｓ９０４で、デジタル信号処理部は、読み出された画像信号から、出力が一定輝度Ｔｈ（所定の輝度値）より大きい（高い）領域を高輝度領域として抽出する。抽出する領域は、信号出力が飽和している領域としてもよい。
【００６０】
Ｓ９０５で、デジタル信号処理部は、Ｓ９０４で抽出した領域を、高輝度光源位置として、そのアドレスを記憶部１０７に保存する。
【００６１】
次に、画像信号補正処理について、図１０を用いて説明する。
【００６２】
画像信号補正Ｓ８０７で、デジタル信号処理部は、高輝度領域検出Ｓ８０３の検出結果に基づき、補正をするべき撮像用画素３０１を抽出し、抽出された撮像用画素３０１の画像信号を補正する。
【００６３】
但し、高輝度領域検出Ｓ８０３で、高輝度領域（すなわち、高輝度光源）が検出されなかった時は、画像信号補正Ｓ８０７をスキップしてもよい。
【００６４】
図１０（ａ）は、ある撮影シーンにおける、高輝度領域の検出結果の例を示している。
【００６５】
図１０（ａ）では、画面中央部の領域１００１が、高輝度光源がある領域として検出されている。
【００６６】
図１０（ｂ）は、高輝度領域検出Ｓ８０３で検出された領域１００１（高輝度領域）に応じたクロストーク補正の対象領域を示している。本発明において、クロストーク補正を行う領域は、高輝度領域１００１に応じて、特にクロストークが発生し易い領域のみについて限定している。
【００６７】
すなわち、クロストーク補正を行う領域は、垂直方向（撮像素子の短手方向）で上側の領域１００２、水平方向（撮像素子の長手方向）で左側の領域１００３、水平方向で右側の領域１００４、垂直方向で下側の領域１００５に限定する。換言すれば、クロストーク補正を行う領域は、撮像素子の垂直方向をＹ方向、水平方向をＸ方向としたとき、高輝度領域からＹ方向およびＸ方向に延びる領域に限定する。つまり、クロストーク補正を行う領域は、撮像素子の画素領域のうち、高輝度領域１００１から、該領域の第１の方向（Ｙ方向またはＸ方向）の幅で該第１の方向と直交する第２の方向（Ｘ方向またはＹ方向）に延びた領域内に限定する。このように補正を行う領域を限定することで、画質に影響のない画像信号を余計に補正してしまう過補正を低減させることができる。
【００６８】
さらに本発明では、クロストーク補正の対象とする撮像用画素３０１を、焦点検出用画素４０１に隣接し、且つ該焦点検出用画素４０１に対して、検出された高輝度領域とは反対側にある画素とする。
【００６９】
すなわち、焦点検出用画素４０１のアドレス（ Xi , Yi ）とすると、補正の対象となる画素は以下のようになる。
領域１００２：（ Xi, Yi - 1 ）
領域１００３：（ Xi- 1, Yi ）
領域１００４：（ Xi+ 1, Yi ）
領域１００５：（ Xi, Yi + 1 ）
ここで、抽出され補正の対象となった撮像用画素の画像信号を補正する方法として、例えば、周辺の同色の撮像用画素（同色画素）の画像信号から補間処理によって生成することができる。補間処理については、従来技術として様々開示されており、ここでは詳細の説明を省略する。
【００７０】
以上説明したように、本発明の撮像装置によれば、高輝度光源の撮像素子面上の位置を検出し、光源位置に応じて、画質劣化を起こし得る画素を抽出し、抽出された画素の画像信号を補正することで、画質劣化を低減させた撮影画像を得ることができる。
【００７１】
本発明の好ましい実施形態について説明したが、本発明はこれらの実施形態に限定されず、その要旨の範囲内で種々の変形及び変更が可能である。
【００７２】
上記実施形態の高輝度領域検出処理では、露出アンダーの撮影条件で取得した画像信号から、高輝度領域を検出したが、高輝度領域検出の手法はこれに限らず、例えば、測光センサーなどの不図示の外部装置によって検出してもよい。また、上記実施形態では、補正の対象となる撮像用画素を、焦点検出用画素の上下左右方向に隣接するものとして説明したが、本発明はこれに限定されない。例えば、画素の構造や配置、高輝度光源の輝度によって斜め方向に隣接する画素に無視できない迷光が入射する場合、斜め方向に隣接する画素を補正してもよい。また、焦点検出用画素のマイクロレンズの高さが極端に大きい場合、隣接する画素以外にも迷光が入射する可能性が考えられる。そのため、補正の対象とする画素を例えば焦点検出用画素に隣接しない画素（例えば、焦点検出用画素に対し、第１の方向に隣接する画素に対し、該第１の方向と同じ方向に隣接する画素など）としてもよい。また、上記実施形態では、クロストーク補正を行う領域を、図１０（ｂ）のように示したが、高輝度領域１００１の輝度値の大きさに応じて、クロストーク補正を行う領域（高輝度領域からの距離・範囲）を変更してもよい。例えば、高輝度領域１００１の輝度値が第１の値Ｔｈよりも大きく第２の値Ｔｈ’よりも小さい場合、該高輝度領域からの距離が所定の距離までの領域に限定して、その他の領域に関してはクロストーク補正を行わないようにしてもよい。換言すれば、高輝度領域１００１の輝度値が大きいほど、クロストーク補正を行う領域を広げるようにする。また、上記実施形態では、高輝度領域が１つである場合について説明したが、高輝度領域が複数ある場合は、複数ある高輝度領域のうち、最も輝度の高い領域（もしくは最も大きい領域）に対してのみクロストーク補正を行ってもよい。
（他の実施形態）
本発明の目的は以下のようにしても達成できる。すなわち、前述した実施形態の機能を実現するための手順が記述されたソフトウェアのプログラムコードを記録した記憶媒体を、撮像装置に供給する。そしてその撮像装置のコンピュータ（またはＣＰＵ、ＭＰＵ等）が記憶媒体に格納されたプログラムコードを読み出して実行するのである。
【００７３】
この場合、記憶媒体から読み出されたプログラムコード自体が本発明の新規な機能を実現することになり、そのプログラムコードを記憶した記憶媒体およびプログラムは本発明を構成することになる。
【００７４】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【００７５】
また、コンピュータが読み出したプログラムコードを実行可能とすることにより、前述した実施形態の機能が実現される。さらに、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７６】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【産業上の利用可能性】
【００７７】
本発明は、コンパクトデジタルカメラ、一眼レフカメラ、ビデオカメラなどの撮像装置に好適に利用できる。
【符号の説明】
【００７８】
１０２：撮像素子
１０６：デジタル信号処理部
３０１：撮像用画素
４０１：焦点検出用画素
【図１】
2014165787.tif 000003
【図２】
2014165787.tif 000004
【図３】
2014165787.tif 000005
【図４】
2014165787.tif 000006
【図５】
2014165787.tif 000007
【図６】
2014165787.tif 000008
【図７】
2014165787.tif 000009
【図８】
2014165787.tif 000010
【図９】
2014165787.tif 000011
【図１０】
2014165787.tif 000012